(57)【要約】【課題】進行方向に対して移動距離を抑えて、縦方向に揺動可能な釣り用ルアーを提供する。【解決手段】ルアー本体２の底部に装着されたウェイト３を備える。ルアー本体２が傾斜することにより、回転モーメントＭ１がルアー本体２に発生する。これにより傾斜したルアー本体２はウェイト３の重みにより、体勢を元に戻そうとする逆回転の回転モーメントＭ２を発生させる。【選択図】図７
2007167050.tif 000002
【特許請求の範囲】
【請求項１】
揺動可能な釣り用ルアーにおいて、ルアー本体の長さの比が短手方向Ｄ＜体高Ｈ＜長手方向Ｌで構成されたとき、進行方向に対してルアー本体の長手方向Ｌ×体高Ｈ面、水面方向に対して短手方向Ｄ×長手方向Ｌ面を向けることを特徴とする釣り用ルアー。
【請求項２】
ルアー本体の長手方向Ｌ、体高Ｈに対し、ラインアイをＬ／５〜４Ｌ／５と、下面〜Ｈ／３又は２Ｈ／３〜上面を兼ねる領域に取り付けられることを特徴とする請求項１記載の釣り用ルアー。
【請求項３】
ルアー本体の体高Ｈに対し、ウェイトを下面〜Ｈ／２の領域に装着されることを特徴とする請求項１又は請求項２記載の釣り用ルアー。
【発明の詳細な説明】
【技術分野】
【０００１】  本発明は釣り用ルアーに関し、特に進行方向に対して縦方向に揺動可能なルアーに関するものである。
【背景技術】
【０００２】  図８を参照しながら従来のルアー２１について説明する。図８（ａ）は、ルアー斜上方向から見た図である。ここで、２２はルアー本体、２３はラインアイ、２４はラインアイに取り付けられたライン、２５は内蔵されたウェイトである。【０００３】  図８（ｂ）は上記に示したルアー２１の大きさを表した図である。図８に示すとおり、ルアー本体２２は、長手方向Ｌ×体高Ｈ×短手方向Ｄで形成され、これら長さの比は短手方向Ｄ＜体高Ｈ＜長手方向Ｌ、又は体高Ｈ＜短手方向Ｄ＜長手方向Ｌとなる。尚、進行方向には短手方向Ｄ×体高Ｈ面を向けている。
【発明の開示】
【発明が解決しようとする課題】
【０００４】  図８（ａ）、図８（ｂ）に示した従来のルアー２１は、進行方向において、水圧を受ける面の面積が狭いため水圧を受け止めきれず、縦方向の揺動アクションを出すには限界があった。【０００５】  また、水圧を受け流してしまうため、移動距離が長くなり、狙いたいポイントをすぐに通過してしまうという問題が生じていた。【０００６】  本発明は、このような問題を解決するために成されたものであり、進行方向に対して縦方向に揺動可能なルアーと移動距離を抑えることにより、魚の食いつきの度合いを向上させたルアーを提供することを目的とする。
【課題を解決するための手段】
【０００７】  以上の目的を達成するために請求項１の発明は進行方向に対してルアー本体の長手方向Ｌ×体高Ｈ面、水面方向に対して短手方向Ｄ×長手方向Ｌ面を向けている。【０００８】  このように構成すると以下に記載する回転モーメントが発生する際、広い面積で水圧を受ける。【０００９】  請求項２の発明は、請求項１記載のルアーの長手方向Ｌ、体高Ｈに対し、Ｌ／５〜４Ｌ／５と、下面〜Ｈ／３又は２Ｈ／３〜上面を兼ねる領域にラインアイを取り付けられている。【００１０】  このように構成すると、使用時にラインアイに取り付けられたラインを引くことにより、ルアー本体を傾斜させる回転モーメントが発生する。【００１１】  請求項３の発明は、ルアー本体の体高Ｈに対し、０〜Ｈ／２の領域にウェイトを備えたルアーであって、前期ウェイトはルアー本体の長手方向に少なくとも１つ配置されている。【００１２】  このように構成すると、ルアー本体が傾斜した際に、体勢を復元させる回転モーメントが発生する。
【発明の効果】
【００１３】  本発明によれば、進行方向に対する移動距離を抑えることができる。また縦方向の揺動アクションを大きくすることにより、魚の食いつきの度合いを向上させることが可能となる。
【発明を実施するための最良の形態】
【００１４】  図１を参照して、本発明のルアー本体２を構成する面の呼称について説明する。以下、ａｂｃｄ面は進行方向面、ｃｆｇｈ面は進行方向逆面、ａｃｅｇ面は左面、ｂｄｆｈ面は右面、ｃｄｇｈ面は下面、ａｂｅｆ面は上面とする。また、ｃを基準としたときｄ方向を長手方向Ｌ、ａ方向を体高Ｈ、ｇ方向を短手方向Ｄとする。【００１５】  図２は図１のＡ−Ａラインの断面図である。図２に示すように本実施形態に関わるルアー１は、ルアー本体２、ルアー本体内部に固定されたウェイト３、ラインアイ４、フックハンガ５、フックハンガ５に取り付けられたフック６により構成されている。【００１６】  図３は図１のＢ−Ｂ断面図である。図３に示すようにルアー１は、ラインアイ４に取り付けられたライン８を引くことにより、矢印Ａ方向に進むことができる。これについては後述する。【００１７】  次に図４を参照しながらルアー本体２に固定されたウェイト３について説明する。図４は図１のＡ−Ａラインの断面図である。ウェイト３の数が１つの場合、ルアー本体２の長手方向Ｌ、体高Ｈに対し、下面〜Ｈ／２とＬ／５〜４Ｌ／５を兼ねる領域に配置される。【００１８】  また、上記に示す領域内にウェイトルームを設けウェイトを遊動式にしてもよい。【００１９】  このように、上記の領域に配置することにより、ルアー本体２が傾斜した際に元の体勢に戻る復元性を高めることが可能となる。【００２０】  次に、ウェイト３の配置パターンについて図５を参照しながら説明する。図５は図１のＡ−Ａラインの断面図である。図５（ａ）では、ラインアイを中心として左にウェイト３ａ、右にウェイト３ｂが存在する。図５（ａ）では、３ａと３ｂのウェイトバランスが１：１となっているが、１：１〜１：５（５：１）までを範囲とする。【００２１】  なお、ウェイト３の数が２つ以上の場合、ルアー本体２の長手方向Ｌ、体高Ｈに対し、０〜Ｈ／２と０〜Ｌを兼ねる領域に配置される。【００２２】  また、上記の条件を満たしていれば、図５（ｂ）に示すルアー本体２の下面からはみ出したウェイト３（ｃ）とウェイト３（ｄ）の領域であっても下面に触れていればよいものとする。【００２３】  また図５（ａ）では、ウェイト数が２つとなっているがラインアイ４を中心として左右のウェイトバランスが１：５又は５：１までの範囲であれば、位置、数、形状はこの通りでなくてもよい。【００２４】  ウェイト３の材質としては、タングステン合金、鉛、真鍮、鉄、カーボン等の金属や、これらの合金、非金属等を用いることが可能となる。【００２５】  次に、ラインアイの取り付け位置について図６を参照しながら説明する。図６（ａ）、図６（ｂ）はルアー１の進行方向面図である。図６（ａ）に示すようにラインアイ４はルアー本体２の長手方向Ｌ、体高Ｈに対し、Ｌ／５〜４Ｌ／５と下面〜Ｈ／３又は２Ｈ／３〜上面を兼ねる領域に取り付けられる。【００２６】  以上の領域にラインアイ４を取り付けることにより、大きな回転モーメントが発生するため、揺動幅を増大することができる。【００２７】  なお、図６（ｂ）に示す水圧版８を左面、又は右面に設ける場合、水圧版の長さは長手方向Ｌには含まれるものとし、体高Ｈには含まれないものとする。【００２８】  上記の領域にラインアイ４を取り付けた際の揺動アクションの効果を図７を参照しながら説明する。図７はルアー１の右面図である。【００２９】  図７は図３の条件を満たすルアー１の揺動アクションを示す図である。図７（１）ではライン８は引かれていないものする。【００３０】  この状態からライン８を引いたものが図７（２）である。ライン８を引くと、ルアー１は傾斜し、回転モーメントＭ１を発生する。【００３１】  図７（２）の引いたライン８を緩めたものが図７（３）である。ライン８を緩めると、ウェイト３の重みで傾斜したルアー１の体勢を元に戻そうとする逆回転の回転モーメントＭ２が発生する。【００３２】  上記の説明により、体勢を元の状態に戻したものが図７（１）である。以上図７（１）、図７（２）、図７（３）を繰り返すことにより、揺動させ続けることが可能となる。【００３３】  次にルアー本体２の形状について説明する。図１に示すとおりルアー本体２は長手方向Ｌ×短手方向Ｄ×体高Ｈで形成され、これらの長さの比は、短手方向Ｄ＜体高Ｈ＜長手方向Ｌとなり、進行方向面には長手方向Ｌ×体高Ｈ面、水面方向には短手方向Ｄ×長手方向Ｌ面を向ける。【００３４】  これにより、大きな面積で水圧を受けるので移動距離が抑えられ、使用時に狙いたいポイントをすぐに通り過ぎることなく時間をかけて狙うことができる。【００３５】  また、大きな水流波を発生させるので、より効果的に魚にアピールすることが可能となる。【００３６】  次に、ルアー本体２の素材について説明する。ルアー本体２の素材には中空プラスチック、発泡樹脂、木材等を用いられ、いずれも水の比重より軽いものである。【００３７】  しかし、ウェイト３の重量を調整することにより、ルアー全体の比重が水の比重よりも重い水に沈むタイプのもの、又は、ルアー全体の比重が水の比重と同じである水中に停止するタイプのものにすることもできる。【００３８】  図１〜図６に示すルアー１は左右対称で平面を主体とした形状をしているが、このとおりでなくてもよい。
【図面の簡単な説明】
【００３９】
【図１】本発明の一実施形態に係るルアーの形状を示した斜視図である
【図２】本発明の一実施形態に係るルアーを構成する要素を示した図である。
【図３】本発明の一実施形態に係るルアーの進行方向を示した図である。
【図４】本発明の一実施形態に係るルアーのウェイトの取り付け可能な領域を示した図である。
【図５】本発明の一実施形態に係るルアーのウェイトの取り付けパターンを示した図である。
【図６】本発明の一実施形態に係るルアーのラインアイを取り付け可能な領域を示した図である。
【図７】本発明の一実施形態に係るルアーの揺動アクションを説明するための図である。
【図８】従来のルアーの形状を示した斜視図である。
【符号の説明】
１    ルアー                      ２    ルアー本体
３    ウェイト                    ３ａ  左ウェイト
３ｂ  右ウェイト                  ３ｃ  半露出ウェイト
３ｄ  露出ウェイト                ４    ラインアイ
５    フックハンガ                ６    フック
７    水圧版                      ８    ライン
【図１】
2007167050.tif 000003
【図２】
2007167050.tif 000004
【図３】
2007167050.tif 000005
【図４】
2007167050.tif 000006
【図５】
2007167050.tif 000007
【図６】
2007167050.tif 000008
【図７】
2007167050.tif 000009
【図８】
2007167050.tif 000010